(57)【要約】  【課題】冷凍室扉開閉検出手段で検知できない冷凍室扉の隙間を検知する。  【解決手段】通常の第１の冷凍室温度検知手段８とは別に、冷凍室１５の天井面における冷凍室扉１１の近傍に第２の冷凍室温度検知手段１２を備え、第２の冷凍室温度検知手段１２と第１の冷凍室温度検知手段８の検知温度の温度差が、第一の所定温度差以上になった場合に、冷凍室１５内の温度分布が改善されるように冷気送風機５の回転数を制御する。また、第２の冷凍室温度検知手段１２と第１の冷凍室温度検知手段８の検知温度の温度差が、第一の所定温度差より大きい第二の所定温度差以上になるか、もしくは、第２の冷凍室温度検知手段１２の検知温度が所定温度以上になった場合に、冷凍室扉１１の隙間が大きいと判断して、異常警告手段９で冷凍室扉１１の異常を知らせる。そのため、冷凍室１５の貯蔵食品に異常を来すことを防止できる。【選択図】図１
2009115420.tif 000002
【特許請求の範囲】
【請求項１】
冷凍室の奥側で冷凍室の温度を検知する第１の冷凍室温度検知手段と、前記冷凍室の天井面における冷凍室扉の近傍で冷凍室の温度を検知する第２の冷凍室温度検知手段とを備え、前記第２の冷凍室温度検知手段により検知した冷凍室温度と前記第１の冷凍室温度検知手段により検知した冷凍室温度との温度差、もしくは前記第２の冷凍室温度検知手段により検知した冷凍室温度に基づいた制御を行うことを特徴とした冷蔵庫。
【請求項２】
前記第２の冷凍室温度検知手段により検知した冷凍室温度と前記第１の冷凍室温度検知手段により検知した冷凍室温度との温度差が、第一の所定温度差以上になった場合に、前記冷凍室内の温度分布が改善されるように冷気送風機の回転数を制御することを特徴とする請求項１に記載の冷蔵庫。
【請求項３】
前記第２の冷凍室温度検知手段により検知した冷凍室温度と前記第１の冷凍室温度検知手段により検知した冷凍室温度との温度差が、第一の所定温度差より大きい第二の所定温度差以上になった場合、もしくは、前記第２の冷凍室温度検知手段により検知した冷凍室温度が所定温度以上になった場合に、前記冷凍室扉の隙間が大きいと判断して、警告手段で前記冷凍室扉の異常を知らせることを特徴とする請求項１または２に記載の冷蔵庫。
【発明の詳細な説明】
【技術分野】
【０００１】
本発明は、冷凍室の温度分布を改善する、及びドア隙時に警告を発する冷蔵庫に関するものである。
【背景技術】
【０００２】
従来から、冷蔵庫の温度分布改善及びドア隙時の警告等について対処方法があった（例えば、特許文献１参照）。
【０００３】
以下、図面を参照しながら、上記従来の冷蔵庫について説明する。
【０００４】
図３は従来の冷蔵庫の制御ブロック図である。主要な構成は、マイクロコンピュータを搭載した制御回路と冷凍室扉開閉検出手段と冷蔵室扉検出手段と圧縮機運転タイマーと冷凍室音頭センサーと発音体と電動冷気ダンパーと除霜回路からなるシステムである。
【０００５】
上記の構成により、冷凍室扉の開閉の際の隙が生じた場合、警告音を出力しユーザに異常を知らせて扉を閉めることを促して、冷凍室の貯蔵食品に異常を来すことを防止できる。
【特許文献１】特開平６−１８１４８号公報
【発明の開示】
【発明が解決しようとする課題】
【０００６】
しかしながら、上記従来の冷蔵庫では、冷凍室扉開閉検出手段で検知可能な隙発生時のみしかユーザに警告出来ない。すなわち冷凍室扉の位置で隙発生と認識させるシステムであり、食品鋏み等の目視でも分かりにくい隙を検知できないという課題を有している。
【０００７】
本発明は上記従来の課題を解決するものであり、冷凍室扉と断熱箱体間で発生した隙を従来よりも確実に検知しユーザに警告することができる冷蔵庫を提供することを目的とする。
【課題を解決するための手段】
【０００８】
上記目的を達成するために本発明の冷蔵庫は、冷凍室の奥側で冷凍室の温度を検知する第１の冷凍室温度検知手段と、前記冷凍室の天井面における冷凍室扉の近傍で冷凍室の温度を検知する第２の冷凍室温度検知手段とを備え、前記第２の冷凍室温度検知手段により検知した冷凍室温度と前記第１の冷凍室温度検知手段により検知した冷凍室温度との温度差、もしくは前記第２の冷凍室温度検知手段により検知した冷凍室温度に基づいた制御を行うのである。
【０００９】
これによって、冷凍室での温度異常を検知することが出来るため、ユーザに異常を知らせて扉を閉めることを促して、冷凍室の貯蔵食品に異常を来すことを防止できる。
【発明の効果】
【００１０】
本発明の冷蔵庫は、わずかな隙発生での外気侵入を検知する事ができ、冷凍室での温度異常を検知することが出来るため、ユーザに異常を知らせて扉を閉めることを促して、冷凍室の貯蔵食品に異常を来すことを防止できる。
【発明を実施するための最良の形態】
【００１１】
請求項１に記載の発明は、冷凍室の奥側で冷凍室の温度を検知する第１の冷凍室温度検知手段と、前記冷凍室の天井面における冷凍室扉の近傍で冷凍室の温度を検知する第２の冷凍室温度検知手段とを備え、前記第２の冷凍室温度検知手段により検知した冷凍室温度と前記第１の冷凍室温度検知手段により検知した冷凍室温度との温度差、もしくは前記第２の冷凍室温度検知手段により検知した冷凍室温度に基づいた制御を行うことを特徴としたものであり、冷凍室扉に僅かな隙間が発生しても、第２の冷凍室温度検知手段を用いて外気の侵入を検知して、それに対応した制御ができる。
【００１２】
請求項２に記載の発明は、請求項１に記載の発明において、前記第２の冷凍室温度検知手段により検知した冷凍室温度と前記第１の冷凍室温度検知手段により検知した冷凍室温度との温度差が、第一の所定温度差以上になった場合に、前記冷凍室内の温度分布が改善されるように冷気送風機の回転数を制御するものであり、冷凍室扉の隙間が小さい場合は、冷気送風機にて庫内温度を強制循環させる事で冷凍室内の均温化を図ることができる。
【００１３】
請求項３に記載の発明は、請求項１または２に記載の発明において、前記第２の冷凍室温度検知手段により検知した冷凍室温度と前記第１の冷凍室温度検知手段により検知した冷凍室温度との温度差が、第一の所定温度差より大きい第二の所定温度差以上になった場合、もしくは、前記第２の冷凍室温度検知手段により検知した冷凍室温度が所定温度以上になった場合に、前記冷凍室扉の隙間が大きいと判断して、警告手段で前記冷凍室扉の異常を知らせるものであり、ユーザに扉が完全に閉まっていないことを警告する事ができる。
【００１４】
以下、本発明の実施の形態について、図面を参照しながら説明する。なお、この実施の形態によってこの発明が限定されるものではない。
【００１５】
（実施の形態１）
図１は本発明の実施の形態１における冷蔵庫の概略構成を示す縦断面図、図２は同実施の形態の冷蔵庫の制御を示すフローチャートである。
【００１６】
図１、図２において、冷蔵庫は断熱箱体２０と冷凍室扉１１で冷凍室１５を形成している。冷凍室１５の庫内温度は、圧縮機３、冷却器４を含む冷却システムで生成した冷気を冷気送風機５で強制循環させ、第１の冷凍室温度検知手段８で検知し安定させている。
【００１７】
冷却システムを正常に動かすには、通常運転で冷却器４についた霜を霜取り手段６と霜取り検知手段７にて除去する。
【００１８】
また、冷凍室扉１１の隙発生時は冷凍室扉開閉検出手段２で検知し、異常警告手段９でユーザに連絡する。
【００１９】
本実施の形態の冷蔵庫は、冷凍室１５の奥側で冷凍室１５の温度を検知する第１の冷凍室温度検知手段８と、冷凍室１５の天井面における冷凍室扉１１の近傍で冷凍室１５の温度を検知する第２の冷凍室温度検知手段１２とを備え、第２の冷凍室温度検知手段１２により検知した冷凍室温度と第１の冷凍室温度検知手段８により検知した冷凍室温度との温度差、もしくは第２の冷凍室温度検知手段１２により検知した冷凍室温度に基づいた制御を行う。
【００２０】
冷凍室扉開閉検出手段２で検知出来ない隙発生時は、外気が庫内に侵入する。暖かい外気温は昇って行き、冷凍室天井面１０に配設した第２の冷凍室温度検知手段１２で温度を検知し、制御回路１で判断し種々の制御を行う。
【００２１】
上記構成において、以下動作を説明する。
【００２２】
冷凍室扉１１が充分に閉められなかった場合は、冷凍室扉１１の隙間から外気が冷凍室１５の庫内に侵入し、冷凍室１５の天井面における冷凍室扉１１の近傍の温度が、冷凍室１５の奥側の温度より高くなる。
【００２３】
第２の冷凍室温度検知手段１２により検知した冷凍室温度と第１の冷凍室温度検知手段８により検知した冷凍室温度との温度差が、第一の所定温度差以上になった場合に、冷凍室１５内の温度分布が改善されるように冷気送風機５の回転数を制御する。冷凍室扉１１の隙間が小さい場合、または、冷凍室扉１１の隙間による冷凍室１５の温度上昇の影響が小さい場合は、冷気送風機５の回転数を制御することで、庫内（冷凍室１５内）の冷気を強制循環させ、庫内の温度分布を改善し、冷凍室１５内の均温化を図ることができる。
【００２４】
冷凍室扉開閉検出手段２の正常異常を問わず冷凍室扉１１の隙間が大きい場合、または、冷凍室扉１１の隙間による冷凍室１５の温度上昇の影響が大きい場合は、第２の冷凍室温度検知手段１２により検知した冷凍室温度と第１の冷凍室温度検知手段８により検知した冷凍室温度との温度差が大きくなるか、第２の冷凍室温度検知手段１２により検知した冷凍室温度が高くなる。
【００２５】
そして、第２の冷凍室温度検知手段１２により検知した冷凍室温度と第１の冷凍室温度検知手段８により検知した冷凍室温度との温度差が、第一の所定温度差より大きい第二の所定温度差以上になった場合、もしくは、第２の冷凍室温度検知手段１２により検知した冷凍室温度が所定温度以上になった場合に、冷凍室扉１１の隙間が大きいと判断して、異常警告手段９で冷凍室扉１１の異常を知らせ、ユーザに扉が完全に閉まっていないことを警告することができる。
【産業上の利用可能性】
【００２６】
以上のように、本発明にかかる冷蔵庫は、冷凍室扉と断熱箱体間で発生した隙を温度で検知したものである。
【００２７】
これによって、わずかな隙が発生していても、冷凍室での温度異常を検知することが出来るため、家庭用・産業用を問わずさまざまな用途の保存庫にも適用できる。
【図面の簡単な説明】
【００２８】
【図１】本発明の実施の形態１における冷蔵庫の概略構成を示す縦断面図
【図２】同実施の形態の冷蔵庫の制御を示すフローチャート
【図３】従来の冷蔵庫の制御ブロック図
【符号の説明】
【００２９】
１    制御回路
２    冷凍室扉開閉検出手段
３    圧縮機
４    冷却器
５    冷気送風機
６    霜取り手段
７    霜取り検知手段
８    第１の冷凍室温度検知手段
９    異常警告手段
１０  冷凍室天井面
１１  冷凍室扉
１２  第２の冷凍室温度検知手段
１５  冷凍室
【図１】
2009115420.tif 000003
【図２】
2009115420.tif 000004
【図３】
2009115420.tif 000005